(57)【要約】      （修正有）【課題】  開口を大きく広げて両足を収納空間部内に容易に挿入することができ、また収納空間部内の掃除も容易であり、しかも使用者が着座する椅子の前に置いて用いる場合であっても椅子が干渉することなく容易に足の出し入れ作業をすることが可能な足浴器を提供する。【解決手段】  足を収納する収納空間部を有する本体ハウジング３と、本体ハウジング３上面に開口させた足挿通用の開口部と、液体を貯留させておく給液タンク９と、給液タンク９から送り込まれる液体を加熱して得た加熱液体粒子を収納空間部内に吐出させる加熱部とを具備する足浴器において、上記本体ハウジング３の前壁部３ａ及び側壁部の両方又は一方を、他の部分に対して開閉自在であって上記開口部を広げる開閉ハウジング２８として形成する。【選択図】図１
2008018024.tif 000002
【特許請求の範囲】
【請求項１】
足を収納するための収納空間部を有する本体ハウジングと、本体ハウジング上面に開口させた足挿通用の開口部と、液体を加熱して得られた加熱液体粒子を収納空間部内に吐出させる加熱部とを具備する足浴器において、上記本体ハウジングの前壁部及び側壁部の両方又は一方を、他の部分に対して開閉自在であって上記開口部を広げる開閉ハウジングとして形成したことを特徴とする足浴器。
【請求項２】
上記開閉ハウジングが、その下端部を中心に起倒自在なものであることを特徴とする請求項１に記載の足浴器。
【請求項３】
上記開閉ハウジングが、本体ハウジングの他の部分に対して着脱自在なものであることを特徴とする請求項１に記載の足浴器。
【請求項４】
上記開閉ハウジング内面に、該内面に付着する結露水が本体ハウジング外に漏出することを防止する水漏れ防止手段を設けることを特徴とする請求項１〜３のいずれか一項に記載の足浴器。
【請求項５】
上記水漏れ防止手段として、開状態において結露水が一旦貯留されるように開閉ハウジングの内面に復水用リブを設けることを特徴とする請求項４に記載の足浴器。
【請求項６】
上記水漏れ防止手段として、結露水を吸収させておくための吸水体を開閉ハウジングの内面に設けることを特徴とする請求項４又は５に記載の足浴器。
【請求項７】
開閉ハウジングの開閉を検知する検知手段と、検知手段により開閉ハウジングが開状態にあると検知される場合には加熱部を停止させる制御部とを具備することを特徴とする請求項１〜６のいずれか一項に記載の足浴器。
【発明の詳細な説明】
【技術分野】
【０００１】
本発明は、足を挿入する収納空間部内に加熱液体粒子を放出させ、これにより足を加温する構成の足浴器に関するものである。
【背景技術】
【０００２】
従来から、スチームのような加熱液体粒子を吐出させて足を加温する仕組みの足浴器が知られている（特許文献１参照）。この足浴器は、足を収納するための収納空間部を有する本体ハウジングと、本体ハウジング上面に開口させた足挿通用の開口部と、液体を加熱して得られた加熱液体粒子を収納空間部内に吐出させる加熱部とを具備するものである。
【０００３】
上記従来の足浴器にあっては、本体ハウジングの後壁上部が上下にスライド自在となっており、使用時にはこの後壁上部を上方に引き上げて用いるとともに、足の出し入れ時や収納空間部内を掃除する時には後壁上部を引き下げることで開口を広げるようになっている。
【０００４】
しかし上記構造の足浴器にあっては、後壁上部の上下スライドでは開口面を充分に大きく広げることは困難であるといった問題がある。これに対して、後壁全体を開閉扉状に回動自在に設けて大きく開口させることも考えられる。しかし、このような足浴器とした場合、使用者はソファー等の椅子に着座した状態で前方に足浴器を置いて足を挿入させることが一般的であることから、このような後壁を開閉扉状に回動させて広げる構造では後壁が椅子に当たって邪魔になる可能性が高くなってしまう。
【特許文献１】特開２００５−１３１７２１号公報
【発明の開示】
【発明が解決しようとする課題】
【０００５】
本発明は上記問題点に鑑みて発明したものであって、開口を大きく広げて両足を収納空間部内に容易に挿入することができ、また収納空間部内の掃除も容易であり、しかも使用者が着座する椅子の前に置いて用いる場合であっても椅子が干渉することなく容易に足の出し入れ作業をすることが可能な足浴器を提供することを課題とするものである。
【課題を解決するための手段】
【０００６】
上記課題を解決するために本発明を、足を収納するための収納空間部２を有する本体ハウジング３と、本体ハウジング３上面に開口させた足挿通用の開口部４と、液体を加熱して得られた加熱液体粒子を収納空間部２内に吐出させる加熱部１０とを具備する足浴器において、上記本体ハウジング３の前壁部３ａ及び側壁部３ｂの両方又は一方を、他の部分に対して開閉自在であって上記開口部４を広げる開閉ハウジング２８として形成したものとする。
【０００７】
このようにすることで、開閉ハウジング２８を開放させて広がった開口部４から収納空間部２内に両足を容易に挿入することができ、また掃除をする際にも開閉ハウジング２８を操作して開口部４を広げることで無理に手を伸ばさなくても奥まで届くことができ、作業が容易となる。加えて、この開閉ハウジング２８を構成する部分を本体ハウジング３の前壁部３ａや側壁部３ｂとしているので、この足浴器を椅子の前に置いて使用する場合であっても開閉ハウジング２８が椅子に干渉することがなく、開閉作業が容易であるとともに、開閉ハウジング２８自体を椅子の足等で踏みつけて破損させるといった可能性も低減させることができる。
【０００８】
また上記構成の足浴器にあっては、上記開閉ハウジング２８が、その下端部を中心に起倒自在なものであることが好適である。このようにすることで、使用者は椅子に座った姿勢のままで開閉ハウジング２８の上端部を掴めば容易に開閉操作をすることができる。
【０００９】
また上記開閉ハウジング２８が、本体ハウジング３の他の部分に対して着脱自在なものであることも好適である。このようにすることで、足の出し入れや収納空間部２内の掃除が更に容易となる。
【００１０】
また上記開閉ハウジング２８内面に、該内面に付着する結露水が本体ハウジング３外に漏出することを防止する水漏れ防止手段を設けることも好適である。このようにすることで、使用直後に開閉ハウジング２８を開いた際に内面の結露水が外部に漏れて周囲を濡らしてしまうといった心配がなくなる。
【００１１】
具体的には上記水漏れ防止手段として、開状態において結露水が一旦貯留されるように開閉ハウジング２８の内面に復水用リブ７０を設けることが好適である。このようにすることで、開閉ハウジング２８を開いた際に結露水は復水用リブ７０の根元上面に貯留されて漏出することがなく、またこの貯留された結露水は開閉ハウジング２８を閉じた際に収納空間部２内に確実に戻されることとなる。
【００１２】
また上記水漏れ防止手段として、結露水を吸収させておくための吸水体７１を開閉ハウジング２８の内面に設けることも好適である。このようにすることで、開閉ハウジング２８を開いた際に結露水は吸水体７１内に確実に吸収されて漏出することが防止される。
【００１３】
更に、開閉ハウジング２８の開閉を検知する検知手段と、検知手段により開閉ハウジング２８が開状態にあると検知される場合には加熱部１０を停止させる制御部とを具備することも好適である。このようにすることで、加熱部１０を稼動させている最中に不意に開閉ハウジング２８が開放されて周囲に加熱液体粒子が漏出するといった事態が防止される。
【００１４】
なお、以上述べた各構成は、本発明の趣旨を逸脱しない限り適宜組合せ可能である。
【発明の効果】
【００１５】
本発明は、開口を大きく広げて両足を収納空間部内に容易に挿入することができ、また収納空間部内の掃除も容易であり、しかも使用者が着座する椅子の前に置いて用いる場合であっても椅子が干渉することなく容易に足の出し入れ作業をすることができるといった効果を奏するものである。
【発明を実施するための最良の形態】
【００１６】
以下、本発明を添付図面に示す実施形態に基づいて説明する。なお本文中に用いる前後左右方向等の各方向は使用者側から見た方向を基準とする。つまり挿入させた足の爪先側を前方とするものである。
【００１７】
図１、図２には、本発明の実施形態における第１例の足浴器全体の外観を示してある。本例の足浴器は、左右両足の下腿全体（即ち足先から脹脛までの部分）を挿入可能な収納空間部２を有するブーツ型の本体部１を備えたもので、本体部１の外郭を成す本体ハウジング３の上面には、左右両足をそれぞれ収納空間部２内に挿通させるための開口部４を上方に向けて開口させてある。図１には開口部４を蓋５で覆った状態を示しているが、この蓋５は本体ハウジング３に着脱自在となっている。
【００１８】
本体ハウジング３の前壁部３ａを形成する開閉ハウジング２８は、その下端部を中心として上端側が前方に倒れていくように起倒自在に形成してある。開閉ハウジング２８は、後方に閉じた状態においてその上端縁が開口部４の開口縁前部を形成するものであり、この開閉ハウジング２８を前方に倒していくことで、本体ハウジング３の開口部４は前面側に大きく広げられるようになっている。ここでの開閉構造については改めて詳述する。
【００１９】
図５には開閉ハウジング２８を前方に傾倒させて開放した状態を示している。図示の如く、本例においては収納空間部２の底面上に載置される足載せ台部５０として、左足を載せておくための左足載せ台部７と、右足を載せておくための右足載せ台部８とを、収納空間部２の底面上において左右に距離を隔てて別々に備えてある。
【００２０】
そして収納空間部２内において、左足載せ台部７と右足載せ台部８に挟まれる左右方向の中央位置には、利用者により供給される液体（本例では水）を一旦貯留させておく給液タンク９と、この給液タンク９から送り込まれる液体を加熱して加熱液体粒子（本例ではスチーム）を発生させるとともにこれを空気と混合させた後に収納空間部２内に吐出させる加熱部１０とを、一体に設けてある。
【００２１】
加熱部１０の外郭を成す加熱部ハウジング１１は、収納空間部２底面から直立する左右両側壁部１２と、左右両側壁部１２の上端同士を滑らかに繋ぐ上壁部１３と、前方斜め下方に傾斜して形成される前壁部１４とを有して前後に長い箱型に形成されており、この前壁部１４に上記給液タンク９が上方から着脱自在に装着される構造である。開閉ハウジング２８にはこの前壁部１４と対応する位置に開口を設けてあり、開閉ハウジング２８を閉じた状態でも、給液タンク９は上記開口を通じて着脱自在に露出するようになっている。
【００２２】
まず、上記加熱部１０の構成について図３に基づいて詳述する。図３には給液タンク９は示していないが、加熱部ハウジング１１の前壁部１４にはタンク設置箇所２５を凹設してあり、このタンク設置箇所２５に給液タンク９を装着すると、給液タンク９内に充填してある液体が、加熱部ハウジング１１内の中央部に設置してあるボイラ１５内にまで給液流路２１を通じて供給される構造である。上記ボイラ１５にはボイラヒータ１６を添設させており、このボイラヒータ１６に電力を供給する電源部１７をボイラ１５の下方に内蔵させてある。また加熱部１０には制御部（図示せず）を内蔵しており、この制御部と上記電源部１７とを電気的に接続させてある。
【００２３】
なおタンク設置箇所２５とボイラ１５とは給液流路２１を通じて連通しているので、仮にボイラ１５側のボイラヒータ１６等に電気的な不具合が発生した場合であってもこのタンク設置箇所２５に接触して感電をすることがないよう、図４に示すような着脱検知手段を設けてある。この着脱検知手段は、給液タンク９側に設置した磁性体２６と、タンク設置箇所２５において給液タンク９装着時に上記磁性体２６と近接する位置に設置した安全回路２７とから成り、磁性体２６が離れた（即ち給液タンク９を取り外した）と安全回路２７を通じて検知した場合にはボイラヒータ１６への電力供給を強制的に停止させるよう制御部を設けてある。
【００２４】
加熱部ハウジング１１内の後部には、ボイラ１５内で発生させた加熱液体粒子を空気と混合させたうえで収納空間部２内に吐出させる混合吐出機構を備えている。上記混合吐出機構は、ボイラ１５から延設されるパイプ状の加熱液体粒子流路１８と、加熱液体粒子流路１８の下流端に連通接続される混合部１９と、この混合部１９内に収納空間部２内の空気を取り込む空気取り込み口２０と、混合部１９内の混合気を収納空間部２内に向けて吐出させる混合気吐出口２２とを具備するものである。更に本例にあっては空気吸入用のファンモータから成る送風機２３を混合部１９内に配してあるが、ベンチュリ効果により空気取り込み口２０から空気が吸い込まれるように設けてもよい。
【００２５】
上記空気取り込み口２０は、収納空間部２の底面から盛り上がるように箱型に形成してある加熱部ハウジング１１の左右両側壁部１２の上端部分にて、多数のスリット状に形成したものである。また上記混合気吐出口２２は、左右両側壁部１２の下端部分にて同じく多数のスリット状に形成したものであり、混合気吐出口２２から吐出された混合気がそれぞれ左右足載せ台部７，８内にまず吐出されるように位置している。
【００２６】
収納空間部２の底部に設置される左右足載せ台部７，８はそれぞれ、上方に凸状を成す多数の突起部同士を隙間を介して連結させ、これにより足裏の露出面積を増やすように設けたものであって、混合気吐出口２２から吐出される混合気が左右足載せ台部７，８の下方空間から突起部同士の隙間を経て、上方の収納空間部２全体に送り込まれるようになっている。つまり左右足載せ台部７，８は左右の足を混合気吐出口２２よりも上位に位置させるものであり、加熱部ハウジング１１の側壁部１２に沿うリブ６（図９参照）をその内側の縁から上方に突設してあることで、このリブ６が出し入れの際のガイドとして機能するうえに、加熱部１０と足との間に介在する遮蔽部としても機能する。
【００２７】
収納空間部２内に充填された混合気は、空気取り込み口２０を経て混合部１９内に再度吸入され、ボイラ１５側から供給される新たな加熱液体粒子が混合されたうえで再び収納空間部２に供給されるといった循環を生み出す。これにより、短時間で収納空間部２内に加熱液体粒子を充満させることが可能である。
【００２８】
混合部１９には混合気の温度を検知する測温抵抗体２４（図３参照）から成る温度検知手段を備えており、この温度検知手段の検知結果に基づいて制御部が混合気の温度を制御するようになっている。上記温度制御は、電源部１７からボイラヒータ１６に供給する電力量を適宜制御することで行う。
【００２９】
更に本例の足浴器にあっては、加熱部１０から混合気を吐出するといった上記の加温手段とまた別の加温手段として、本体部１の収納空間部２の側周面であり且つ挿入した左右両足の脹脛に対向する部分（つまり収納空間部２の背面側）に、ヒータ部材３０を背面カバー３１と上カバー３２とで挟み込んで成る加温部３３（図３参照）を配設してある。上記加温部３３は、収納空間部２内に収納される左右両足を加温するための面積の大きな加温面を有するものであり、加熱部１０内の電源部１７から電力を供給されることでヒータ部材３０を発熱させ、上記加温面を通じて特に脹脛を中心に両足を加温するようになっている。なお図示はしないが、ヒータ部材３０には測温抵抗体から成る温度検知手段を配してあり、この温度検知手段の検知結果に基づいて制御部がヒータ温度を制御するようになっている。上記温度制御は、電源部１７からヒータ部材３０に供給する電力量を適宜制御することで行う。
【００３０】
上記加温部３３の上カバー３２の前面側には、シート状の輻射部材３４を貼着させて設けてあり、更にこの輻射部材３４の前面側には、上記加温部３３の加温面が直接足に接触することを防止するためのガード部３５が取り付けてある。上記輻射部材３４は、シート部材に適宜の輻射塗料を塗布して成るものであり、上記ガード部３５は、輻射部材３４と略一致する面形状の板状部材に多数の貫通孔３６（図２参照）を貫設して略格子状となるように形成したものである。
【００３１】
また図１に示すように、本体ハウジング３の外側面後部に形成してある操作部ケース４０内には、使用者が指令を入力する外部コントローラである操作部４１が収納させてある。この操作部４１は有線又は無線（本例では有線）にて制御部に接続されており、電源のオンオフは勿論、使用者の好みの加温モードを適宜選択可能になっている。使用者は操作部４１のボタン操作によって、加熱部１０及び加温部３３の出力レベルの組み合わせが適宜選択可能である。つまり使用者の好みや状況に応じて、例えば加熱部１０のみを稼動させる加温モード、加温部３３のみを稼動させる加温モード、加熱部１０と加温部３３を同時に稼動させる加温モード等を適宜選択でき、更に加熱部１０と加温部３３を同時に稼動させる場合において夫々の出力の強弱の組み合わせが適宜選択可能である。
【００３２】
図中の符号４５は、加熱部ハウジング１１の前壁部１４において給液タンク９の下方位置に設置される排液ボタンである。更に図中の符号４６は本体ハウジング３の底部前面に着脱自在に装着された排液カップであり、この排液ボタン４５を押下することで図３に示す排液機構４７が作動して加熱部１０内の残留液を排液カップ４６内に排出するようになっている。
【００３３】
次に、本体ハウジング３の開閉ハウジング２８の開閉機構について図８等に基づいて詳述する。上記開閉ハウジング２８は、ブーツ状を成す本体ハウジング３の爪先側である前端部（図３等参照）に設置される回動軸６０廻りに、前後方向に回動自在となっている。上記回動軸６０は左右方向を軸方向とする円柱軸であり、開閉ハウジング２８はこの回動軸６０を中心として図３や図８（ａ）に示す閉位置Ｐ１、図６や図８（ｂ）に示す半開位置Ｐ２、図７や図８（ｃ）に示す全開位置Ｐ３の間でその回動により姿勢変更自在となっている。閉位置Ｐ１における開閉ハウジング２８は、その上端部が後方に傾倒した姿勢で本体ハウジング３の他の部分と隙間なく嵌合して、上方のみが開口する収納空間部２を形成するものであり、半開位置Ｐ２における開閉ハウジング２８は上端部が僅かに前方に倒れた略直立の姿勢で仮保持され、全開位置Ｐ３における開閉ハウジング２８は完全に前方に倒れた略水平の姿勢でその上端部が床面に当たって保持される。
【００３４】
開閉ハウジング２８を半開位置Ｐ２で仮保持する機構は図８に示す通りである。この仮保持機構は、開閉ハウジング２８の下端部内面に固定してあるスライドレール部６１と、本体ハウジング３の前端部に一端側を回動自在に接続されるＬ字状のアーム６２と、このアーム６２の他端側に回動自在に連結されるとともに上記スライドレール部６１内にスライド自在に挿入されるスライダ部６３とで主体を成すものであり、上記スライドレール部６１を形成するクリック板６４のスライド方向途中（略中間）部分に、スライドレール部６１内を移動するスライダ部６３が途中で係止するとともに弾性的に乗り越え可能なクリック突部６５を形成した構造である。
【００３５】
しかして、図１の状態にある本例の足浴器を使用する場合には、まず蓋５を外した後に開閉ハウジング２８の上端を掴んで前方に倒す。開閉ハウジング２８は閉位置Ｐ１にて本体ハウジング３の他の部分と係合して嵌合状態に仮固定されているので、この仮固定を解除したうえで前方に倒してゆく。これにより開閉ハウジング２８は若干前方に傾倒した略直立姿勢となった段階で、図６や図８（ｂ）に示す半開位置Ｐ２にて一旦仮保持される。ここで、上面側の開口部４から前面側にかけて大きく開放された開口面を通じて本体ハウジング３内に両足を収納した後に、開閉ハウジング２８を後方に倒して閉位置Ｐ１に戻し、本体ハウジング３の他の部分と再度仮固定させる。
【００３６】
そして、開閉ハウジング２８をこの閉位置Ｐ１にセットした状態で操作部４１のボタン操作を行い、加熱部１０及び加温部３３に電力供給をすることで、加熱部１０から吐出される混合気の熱対流により収納空間部２内の下腿全体を加温すると同時に、加温部３３からの熱伝導及び熱輻射により下腿の特に脹脛部分を効果的に加温することができる。また、加熱部１０からの熱伝導及び熱輻射により両足の内側部分（図５中の斜線部分）を効果的に加温することもできる。使用後は再び開閉ハウジング２８を倒して本体ハウジング３を上面から前面にかけて大きく開口させ、両足を外に出したうえでまた図１の状態に戻せばよい。
【００３７】
上記の如く、通常の足の出し入れを行う場合には開閉ハウジング２８を半開位置Ｐ２にまで広げて仮保持させるようにすると、使用者は椅子に着座した姿勢のままで開閉ハウジング２８の上端部を掴み易く、閉位置Ｐ１に戻す際に都合がよい。一方、収納空間部２内を掃除する場合には、半開位置Ｐ２を超えて全開位置Ｐ３にまで開閉ハウジング２８を前方に倒せばよい。このとき開閉ハウジング２８を前方に押す力により、半開位置Ｐ２にて図８（ｂ）に示すようにクリック突部６５に係止されていたスライダ部６３は、クリック板６４全体を撓ましながら該クリック突部６５を押し込んでこれを乗り越え、図８（ｃ）の位置にまでスライドする。
【００３８】
なお、図示はしないが上記開閉ハウジング２８の開閉を検知する検知手段を備え、この検知手段により開閉ハウジング２８が開状態にあると検知した場合にはこれを通知された制御部が加熱部１０内のボイラヒータ１６等への通電を強制的に停止させるように設定することも好ましい。上記検知手段としては、図４に示した給液タンク９の着脱検知手段と同様のものを用いてもよいし、またリミットスイッチ等の他の手段を用いてもよい。
【００３９】
次に、本発明の実施形態における第２例の足浴器について、図１０、図１１に基づいて説明する。なお本例の基本的構成は上記した第１例の構成と同様であることから、第１例と一致する構成については同一符号を付して詳しい説明を省略し、第１例とは相違する特徴的な構成についてのみ以下に詳述する。
【００４０】
本例の足浴器にあっては、本体ハウジング３の前壁部３ａを成す開閉ハウジング２８の内面に、この内面に付着する結露水が開状態において本体ハウジング３外に漏出することを防止するための水漏れ防止手段を設けてある。この水漏れ防止手段としては具体的には、図１０に示すような復水用リブ７０を、下端部を中心に起倒自在である開閉ハウジング２８の内面下部の略全幅に亘って設けてある。この復水用リブ７０は、図１０（ｂ）に示すように閉状態（即ち閉位置Ｐ１にある状態）ではその先端が斜め下方を向き、且つ開状態（本例では半開位置Ｐ２にある状態）ではその先端が斜め上方を向くような角度で突設させてある。
【００４１】
したがって本例の足浴器にあっては、開閉ハウジング２８を閉じて使用する際には該開閉ハウジング２８内面に生じる結露水は下方に流れ落ちた後に復水用リブ７０の上面を伝って収納空間部２内に戻される。また開閉ハウジング２８を半開位置Ｐ２における略起立姿勢に保持した際には、該開閉ハウジング２８内面に付着した結露水は下方に流れ落ちた後に復水用リブ７０の根元上面に一旦貯留され、開閉ハウジング２８を閉じた際にこの貯留水は復水用リブ７０を伝って収納空間部２内に戻されることとなる。
【００４２】
また図１１には、上記水漏れ防止手段として更に、結露水を吸収させておくため吸水体７１を開閉ハウジング２８の下部内面に設けた場合を示している。この吸水体７１はポリウレタンや高分子吸収材等の適宜吸水材を用いて形成したものであり、図示例では復水用リブ７０の根元上面と接触するように貼着させておくことで、復水用リブ７０の根元側に集水される結露水を効率的に吸水するようになっている。
【００４３】
次に、本発明の実施形態における第３例の足浴器について、図１２に基づいて説明する。なお本例の基本的構成は上記した第１例の構成と同様であることから、第１例と一致する構成については同一符号を付して詳しい説明を省略し、第１例とは相違する特徴的な構成についてのみ以下に詳述する。
【００４４】
本例の足浴器にあっては、本体ハウジング３の前壁部３ａから左右両側壁部３ｂにかけての部分を、本体ハウジング３の他の部分に対して開閉自在な開閉ハウジング２８として形成してある。この開閉ハウジング２８の開閉構造は第１例と同様であり、その下端部を中心として上端側が前方に倒れていくように前後方向に起倒自在になっている。つまり前壁部３ａから左右両側壁部３ｂにかけての部分が一体となって前方に傾倒するので、第１例と比して更に開口面が大きくなり足の出し入れや掃除も容易となる。この開閉ハウジング２８にあっては前壁部３ａから左右両側壁部３ｂにかけての上端縁が、開口部４の開口縁の前部から左右両側部にかけての部分を形成することは勿論である。
【００４５】
なお、本発明の開閉ハウジング２８としては、本体ハウジング３の前壁部３ａ及び側壁部３ｂの両方又は一方から成るものであればよく、傾倒する方向も前方には限定されず、斜め前方や側方であっても構わない。したがって、例えば本体ハウジング３の左右両側壁部３ｂで一対の開閉ハウジング２８を形成するとともに各開閉ハウジング２８がその下端部を中心に側方に傾倒自在な構成であってもよい。
【００４６】
次に、本発明の実施形態における第４例の足浴器について、図１３に基づいて説明する。なお本例の基本的構成は上記した第１例の構成と同様であることから、第１例と一致する構成については同一符号を付して詳しい説明を省略し、第１例とは相違する特徴的な構成についてのみ以下に詳述する。
【００４７】
本例の足浴器にあっては、本体ハウジング３の前壁部３ａから左右両側壁部３ｂにかけての部分（換言すれば、本体ハウジング３の周壁部全体のうち後壁部を除く部分）を開閉ハウジング２８にするとともに、この開閉ハウジング２８を左右一対の分割開閉ハウジング２８ａ，２８ｂに２分割し、各分割開閉ハウジング２８ａ，２８ｂを、その後端部を中心として前端側が側方に開くように回動自在に形成してある。
【００４８】
次に、本発明の実施形態における第５例の足浴器について、図１４に基づいて説明する。なお本例の基本的構成は上記した第１例の構成と同様であることから、第１例と一致する構成については同一符号を付して詳しい説明を省略し、第１例とは相違する特徴的な構成についてのみ以下に詳述する。
【００４９】
本例の足浴器にあっては、本体ハウジング３の前壁部３ａから左右両側壁部３ｂにかけての部分を、本体ハウジング３の他の部分に対して着脱自在な開閉ハウジング２８として一体に形成してある。このように着脱自在とすることで、足の出し入れが更に容易になるとともに、特に掃除の際に作業性が向上するものである。なお、この着脱自在な開閉ハウジング２８が、本体ハウジング３の前壁部３ａ又は左右両側壁部３ｂの一方から成るものであっても構わない。
【図面の簡単な説明】
【００５０】
【図１】本発明の実施形態における第１例の足浴器の蓋を被せた状態を示す斜視図である。
【図２】同上の足浴器の平面図である。
【図３】同上の足浴器の足を収納させた状態を示す側面断面図である。
【図４】図３の要部拡大図であり、給液タンクを装着する様子を示している。
【図５】同上の足浴器の開閉ハウジングを前方に倒した状態を示す平面図である。
【図６】同上の足浴器の開閉ハウジングを半開位置に保持した状態を示す側面図である。
【図７】同上の足浴器の開閉ハウジングを全開位置に保持した状態を示す側面図である。
【図８】同上の足浴器の開閉構造を示す側面断面図であり、（ａ）は閉位置、（ｂ）は半開位置、（ｃ）は全開位置を示している。
【図９】同上の足浴器内に設置される左足載せ台部を示す斜視図である。
【図１０】本発明の実施形態における第２例の足浴器を示し、（ａ）は側面断面図、（ｂ）は（ａ）の要部拡大図、（ｃ）は開閉ハウジングを半開位置に保持した状態での要部拡大図である。
【図１１】同上の足浴器の開閉ハウジング内面に更に吸水体を貼着させた場合を示す要部拡大図である。
【図１２】本発明の実施形態における第３例の足浴器を示す側面図である。
【図１３】本発明の実施形態における第４例の足浴器を示す平面図である。
【図１４】本発明の実施形態における第５例の足浴器を示す側面図である。
【符号の説明】
【００５１】
２  収納空間部
３  本体ハウジング
３ａ  前壁部
３ｂ  側壁部
４  開口部
１０  加熱部
２８  開閉ハウジング
７０  復水用リブ
７１  吸水体
【図１】
2008018024.tif 000003
【図２】
2008018024.tif 000004
【図３】
2008018024.tif 000005
【図４】
2008018024.tif 000006
【図５】
2008018024.tif 000007
【図６】
2008018024.tif 000008
【図７】
2008018024.tif 000009
【図８】
2008018024.tif 000010
【図９】
2008018024.tif 000011
【図１０】
2008018024.tif 000012
【図１１】
2008018024.tif 000013
【図１２】
2008018024.tif 000014
【図１３】
2008018024.tif 000015
【図１４】
2008018024.tif 000016